(57)【特許請求の範囲】
【請求項１】
使用者が冷蔵庫に装着された複数の貯蔵庫の中の少なくとも一つ以上の貯蔵庫の電源をオフさせた時、電源−オフ信号を発生する信号発生部と、
前記電源−オフ信号の入力を受けて電源−オフ状態を表示する表示部と、を包含し、且つ
前記信号発生部は、前記使用者が前記貯蔵庫の電源をオフさせたるために電源ボタンを予め設定された時間の間押した時、前記電源−オフ信号を発生することを特徴とする冷蔵庫の電源−オフ状態表示装置。
【請求項２】
上記電源−オフ信号を出力するか又は、予め設定されたキムチの熟成に要求される時間を表示するための制御信号を出力する制御部が追加して包含されることを特徴とする請求項１記載の冷蔵庫の電源−オフ状態表示装置。
【請求項３】
上記制御部は、上記電源−オフ信号が入力されると、該入力された電源−オフ信号のみを前記表示部に出力して、前記電源−オフ信号が入力されないと、前記制御信号のみを前記表示部に出力することを特徴とする請求項２記載の冷蔵庫の電源−オフ状態表示装置。
【請求項４】
上記表示部は、上記電源−オフ信号の入力を受けて電源−オフ状態を表示するか又は、上記制御信号の入力を受けて上記予め設定されたキムチの熟成に要求される時間を表示することを特徴とする請求項１又は２記載の冷蔵庫の電源−オフ状態表示装置。
【請求項５】
上記所定時間は、３秒であることを特徴とする請求項１記載の冷蔵庫の電源−オフ状態表示装置。
【請求項６】
上記表示部は、発光ダイオードであることを特徴とする請求項１記載の冷蔵庫の電源−オフ状態表示装置。
【請求項７】
上記表示部は、７−セグメント表示装置であることを特徴とする請求項１記載の冷蔵庫の電源−オフ状態表示装置。
【請求項８】
上記表示部は、上記電源−オフ信号の入力を受けて“ＯＦＦ”文字を表示することを特徴とする請求項１記載の冷蔵庫の電源−オフ状態表示装置。
【請求項９】
使用者が冷蔵庫に装着された複数の貯蔵庫の中の少なくとも一つ以上の貯蔵庫の電源をオフさせた時、前記電源がオフされた貯蔵庫の電源−オフ状態を表示するための電源−オフ信号を発生する信号発生部と、
前記電源−オフ信号を出力するか又は、予め設定されたキムチの熟成に要求される時間を表示するための制御信号を出力する制御部と、
前記電源−オフ信号の入力を受けて電源−オフ状態を表示するか又は、前記制御信号の入力を受けて前記予め設定されたキムチの熟成に要求される時間を表示する表示部と、を包含し、且つ
前記信号発生部は、前記使用者が前記貯蔵庫の電源をオフさせたるために電源ボタンを予め設定された時間の間押した時、前記電源−オフ信号を発生することを特徴とする冷蔵庫の電源−オフ状態表示装置。
【請求項１０】
上記所定時間は、３秒であることを特徴とする請求項９記載の冷蔵庫の電源−オフ状態表示装置。
【請求項１１】
上記制御部は、上記電源−オフ信号が入力されると、該入力された電源−オフ信号のみを前記表示部に出力して、前記電源−オフ信号が入力されないと、前記制御信号のみを前記表示部に出力することを特徴とする請求項９記載の冷蔵庫の電源−オフ状態表示装置。
【請求項１２】
上記表示部は、発光ダイオードであることを特徴とする請求項９記載の冷蔵庫の電源−オフ状態表示装置。
【請求項１３】
上記表示部は、７−セグメント表示装置であることを特徴とする請求項９記載の冷蔵庫の電源−オフ状態表示装置。
【請求項１４】
上記表示部は、上記電源−オフ信号の入力を受けて“ＯＦＦ”文字を表示することを特徴とする請求項９記載の冷蔵庫の電源−オフ状態表示装置。
【請求項１５】
冷蔵庫に装着された複数の貯蔵庫中少なくても一つの貯蔵庫の電源がオフされた時、該電源がオフされた貯蔵庫の電源オフ状態を表示するための電源−オフ信号を発生する段階と、
前記電源−オフ信号の入力を受けて表示部により電源−オフ状態を表示する段階と、を順次行い、且つ
前記電源−オフ信号は、使用者が任意の貯蔵庫の電源ボタンを予め設定された時間の間押した時発生されることを特徴とする冷蔵庫の電源−オフ状態表示方法。
【請求項１６】
上記複数の貯蔵庫中、電源がオン状態の貯蔵庫に装着された表示部は、予め設定されたキムチの熟成に要求される時間を表示することを特徴とする請求項１５記載の冷蔵庫の電源−オフ状態表示方法。
【請求項１７】
上記電源−オフ状態を表示する段階は、上記冷蔵庫に装着されてキムチの熟成に要求される時間を表示する表示部によって“ＯＦＦ”文字により表示されることを特徴とする請求項１６記載の冷蔵庫の電源−オフ状態表示方法。
【請求項１８】
上記表示部は、７−セグメント表示装置であることを特徴とする請求項１７記載の冷蔵庫の電源−オフ状態表示方法。
【発明の詳細な説明】
【０００１】
【発明の属する技術分野】
本発明は、冷蔵庫に係るもので、詳しくは、使用者が冷蔵自体の故障又は発光ダイオードの故障であるか否かを認識して複数の貯蔵庫を有した冷蔵庫の電源状態を表示する装置及びその方法に関するものである。
【０００２】
【従来の技術】
一般に、従来キムチを冷蔵するキムチ冷蔵庫においては、図４に示したように、独立的に制御される左側貯蔵庫１及び右側貯蔵庫３を有して構成され、それらキムチ冷蔵庫には夫々機能設定部２、４が装着されて、それら各機能設定部２、４には夫々表示部５が装着され、それら表示部５は、上記左側貯蔵庫１又は右側貯蔵庫２の多様な情報を、各発光ダイオードから形成された表示部５を通って表示し得るように前記左側貯蔵庫１及び右側貯蔵庫３の前面に夫々装着されていた。以下、上記キムチ冷蔵庫の表示部５の動作に対して説明する。
【０００３】
先ず、上記キムチ冷蔵庫の表示部５は、初期電源が印加されると、上記左側貯蔵庫１及び右側貯蔵庫３内部のキムチの熟成時間を表示する。即ち、上記各貯蔵庫１、３内部のキムチが熟成されるまでの残った時間が表示される。
この時、使用者は保管される食品の種類及び味等によって左側貯蔵庫１及び右側貯蔵庫３の機能を任意に設定することができる。且つ、使用者が左側貯蔵庫１及び右側貯蔵庫３のキムチの熟成機能を選択する場合、内部のマイクロコンピューター（未図示）に予め設定されたキムチの熟成に要求される時間が各貯蔵庫１、３の前面に装着された表示部（発光ダイオード）５を通して表示される。
【０００４】
又、上記左側貯蔵庫１又は右側貯蔵庫３中、何れか一つを使用しない場合は、使用者が該当の貯蔵庫の電源−オン／オフボタン６を押して、前記左側貯蔵庫１又は右側貯蔵庫３の電源をオフさせることで、電源がオフされた貯蔵庫の前面に装着された表示部５の全ての発光ダイオードがオフされる。即ち、上記全ての発光ダイオードがオフされることで、使用者は該当貯蔵庫が使用されいないことを認識することができるが、この時、冷蔵庫自体の故障又は発光ダイオードの故障により発光ダイオードがオフされた場合も、使用者は冷蔵庫自体の故障又は発光ダイオードの故障であるか否かを認識することができないため、該当の貯蔵庫が使用されいないと認識するようになっていた。使用者は冷蔵庫自体の故障又は発光ダイオードの故障であるか否かを認識することができない。
【０００５】
一方、図４に示した水キムチ、ダイコンキムチ及び白菜キムチは、韓国キムチの種類であって、従来のキムチ冷蔵庫の動作制御方法は、２０００年５月１６日登録された米国特許番号“６、０６３、４２０”に詳細に記載されている。
そして、従来のキムチ冷蔵庫の電源−オフ方法においては、図５に示したように、先ず、使用者が夫々独立的な制御が可能な第１〜第Ｎ貯蔵庫中一つ以上の貯蔵庫の電源をオフしたかを判断し、使用者は上記貯蔵庫１の前面に装着された電源−オン／オフボタン６を選択したかを判断する。
【０００６】
次いで、使用者が任意の貯蔵庫１の電源をオフさせるために上記電源−オン／オフボタン６を選択することで発生される電源−オフ信号が入力されるとＳ１、前記任意の貯蔵庫１の前面に装着された表示部（発光ダイオード）５の電源をオフさせてＳ２、前記第１段階Ｓ１の動作を反復して遂行する。
【０００７】
【発明が解決しようとする課題】
然るに、このような従来の冷蔵庫の電源−オフ表示方法においては、冷蔵庫自体の故障又は発光ダイオードの故障により発光ダイオードがオフされた場合も、使用者は該当の貯蔵庫がオフ状態であると認識するため、キムチ冷蔵庫の表示部が故障又は、該当の貯蔵庫の電源がオフ状態であるかを夫々正確に判断することができないという不都合な点があった。
本発明は、このような従来の課題に鑑みてなされたもので、使用者が冷蔵庫に装着された複数の貯蔵庫中、少なくとも一つ以上の貯蔵庫の電源をオフさせる場合、電源−オフ状態を表示する冷蔵庫の電源−オフ状態表示装置及びその方法を提供することを目的とする。
【０００８】
【課題を解決するための手段】
このような目的を達成するため、本発明に係る冷蔵庫の電源−オフ状態表示装置においては、使用者が冷蔵庫に装着された複数の貯蔵庫の中の少なくとも一つ以上の貯蔵庫の電源をオフさせた時、電源−オフ信号を発生する信号発生部と、前記電源−オフ信号の入力を受けて電源−オフ状態を表示する表示部と、を包含して構成されることを特徴とする。
【０００９】
又、本発明に係る冷蔵庫の電源−オフ状態表示方法においては、冷蔵庫に装着された複数の貯蔵庫の中の少なくとも一つの貯蔵庫の電源がオフされた時、上記電源がオフされた貯蔵庫の電源オフ状態を表示するために電源−オフ信号を発生する段階と、前記電源−オフ信号の入力を受けて表示部を通って電源−オフ状態を表示する段階と、を順次行うことを特徴とする。
【００１０】
【発明の実施の形態】
以下、本発明の実施の形態に対し、図面を用いて説明する。
本発明に係る冷蔵庫の電源−オフ状態表示装置においては、図１に示したように、複数の貯蔵庫中、使用者が任意の貯蔵庫の電源をオフさせる場合、前記電源がオフされた貯蔵庫の電源−オフ状態を表示する冷蔵庫の電源−オフ状態表示装置であって、使用者が冷蔵庫に装着された第１〜第Ｎ貯蔵庫中、所定貯蔵庫（第１）の電源をオフさせると、電源−オフ信号（文字信号）を発生する信号発生部３１と、前記電源−オフ信号を出力又は、予め設定されたキムチの熟成に要求される時間を表示するための制御信号を出力する制御部３２と、前記電源−オフ信号の入力を受けて電源−オフ状態を表示又は、前記制御信号の入力を受けて前記予め設定されたキムチの熟成に要求される時間を表示する表示部３３と、を包含して構成されている。又、上記制御部３２は、上記電源−オフ信号が入力されると、該入力された電源−オフ信号のみを上記表示部３３に出力し、上記電源−オフ信号が入力されないと、前記制御信号のみを上記表示部３３に出力する。この時、上記第１〜第Ｎ貯蔵庫は夫々独立的に制御される。
【００１１】
又、本発明に係るキムチ冷蔵庫の電源−オフ状態表示装置の動作においては、図２に示したように、先ず、上記信号発生部３１は、使用者が冷蔵庫に装着された第１〜第Ｎ貯蔵庫の電源をオフしたかを判断し、例えば、上記信号発生部３１は、使用者が第１貯蔵庫の一方側に装着された電源−オン／オフボタン（図４の図面番号６）を選択すると、電源−オフ信号を発生して、該発生された電源−オフ信号を上記制御部３２に出力する。又、上記信号発生部３１は、使用者のまちがい及びボタン操作の未熟によって前記電源−オフ信号の発生することがないように、前記使用者が第１貯蔵庫の電源をオフさせるための電源−オン／オフボタンを所定時間の間押した時のみに、前記電源−オフ信号を発生する。この時、上記所定時間は３秒が好ましい。即ち、上記使用者が第１貯蔵庫の電源をオフさせるための電源−オン／オフボタンを３秒間押して前記第１貯蔵庫の電源をオフさせた時のみに、前記電源−オフ信号を発生させることで、第１貯蔵庫の内容物を安全に保管することができるＳ１１。
【００１２】
次いで、上記制御部３２は、上記信号発生部３１から電源−オフ信号の入力を受けて第１貯蔵庫の一方側に装着された表示部３３に前記電源−オフ信号を出力し、且つ、上記制御部３２は、上記信号発生部３１から電源−オフ信号が入力されないと、上記制御信号を上記表示部３３に出力し、この時、上記制御部３２は、他の貯蔵庫（第２〜Ｎ貯蔵庫）の電源が使用者によりオフされたかを判断するために前記電源−オフ信号の入力されたか否かを継続判断する。
【００１３】
次いで、上記表示部３３は、上記制御部３２から出力される電源−オフ信号の入力を受けて上記第１貯蔵庫の電源−オフ状態を表示するが、この時、上記表示部３３としては液晶表示装置及びプラズマ表示装置などを使用することができる。又、上記表示部３３を貯蔵庫の一方側に追加して装着することより上記予め設定されたキムチの熟成に要求される時間を表示する７−セグメント表示装置により前記電源−オフ状態を表示して部品の浪費を最小化することができる。
【００１４】
又、本発明に係る表示部においては、図３に示したように、電源−オフ状態を表示する表示部３３を冷蔵庫に追加して装着することなく、キムチ冷蔵庫に装着されてキムチの熟成に要求される時間を表示する７−セグメント表示装置により各貯蔵庫（第１〜第Ｎ貯蔵庫）の電源−オフ状態を表示することができる。この時、即ち、上記７−セグメント表示装置は、上記電源−オフ信号の入力を受けて“ＯＦＦ”文字を表示するか又は、上記制御信号の入力を受けて前記キムチの熟成に要求される時間を表示するＳ１２。
【００１５】
且つ、電源がオフされた第１貯蔵庫の電源−オフ状態を表示する表示部３３を除いた残りの貯蔵庫（第２〜Ｎ貯蔵庫）の前面に装着された表示部をオフさせ、それら残りの貯蔵庫（第２〜Ｎ貯蔵庫）の前面に装着された各表示部は、正常な機能を表示（キムチの熟成に要求される時間を表示）して貯蔵庫が動作中であることを表示するＳ１３。
【００１６】
【発明の効果】
以上説明したように、本発明に係る冷蔵庫の電源−オフ状態表示装置及びその方法においては、使用者が貯蔵庫の電源をオフさせる場合、貯蔵庫の電源−オフ状態を表示することで、使用者が冷蔵庫に装着された複数の貯蔵庫の動作状態を正確に認識し得るという効果がある。
又、本発明に係る冷蔵庫の電源−オフ状態表示装置及びその方法においては、貯蔵庫の電源−オフ状態を表示することで、冷蔵庫自体の故障及び表示部（７−セグメント表示装置）の故障により前記表示部がオフされた場合、使用者が迅速に表示部の故障有無を認知し得るという効果がある。
【００１７】
又、本発明に係る冷蔵庫の電源−オフ状態表示装置及びその方法においては、使用者が迅速に表示部の故障有無を認知するようになっているため、冷蔵庫使用の便利性を向上し得るという効果がある。
又、本発明に係る冷蔵庫の電源−オフ状態表示装置及びその方法においては、使用者が任意の貯蔵庫の電源ボタンを３秒間押した場合のみ、電源−オフ信号を発生することで、使用者のまちがい及びボタン操作の未熟によって任意の貯蔵庫の電源がオフされることを防止し得るという効果がある。
【００１８】
又、本発明に係る冷蔵庫の電源−オフ状態表示装置及びその方法においては、使用者のまちがい及びボタン操作未熟により任意の貯蔵庫の電源がオフされることを防止することができるため、該当貯蔵庫の内容物を安全に保管し得るという効果がある。
且つ、本発明に係る冷蔵庫の電源−オフ状態表示装置及びその方法においては、使用者が任意の貯蔵庫の電源をオフした時、その任意の貯蔵庫の電源−オフ状態をキムチ冷蔵庫に装着されてキムチの熟成に要求される時間を表示する７−セグメント表示装置の“ＯＦＦ”文字により表示するため、機能追加による部品の浪費を最小化し得るという効果がある。
【図面の簡単な説明】
【図１】本発明に係るキムチ冷蔵庫の電源−オフ状態表示装置を示したブロック図である。
【図２】本発明に係るキムチ冷蔵庫の電源−オフ状態表示方法を示したフローチャートである。
【図３】本発明に係る電源−オフ状態を表示する表示部を示した外観図である。
【図４】従来のキムチ冷蔵庫の表示部を示した構成図である。
【図５】従来のキムチ冷蔵庫の電源−オフ方法を示したフローチャートである。
【符号の説明】
３１…信号発生部
３２…制御部
３３…表示部
【図１】
0004125538.tif 000002
【図２】
0004125538.tif 000003
【図３】
0004125538.tif 000004
【図４】
0004125538.tif 000005
【図５】
0004125538.tif 000006